(57)【要約】【課題】ＬＥＤ光源を用いたものでありながら、点灯時の見栄えを向上することができるＬＥＤ照明装置を提供する。【解決手段】本発明は、円筒状の管体１１と、管体１１の軸線方向に沿って内装された基板１３と、基板１３に実装された複数のＬＥＤ光源１２と、を備え、管体１１の内壁面には他の部位よりも肉厚を厚くした厚肉部１１ａを備えている。【選択図】図１
2013077453.tif 000002
【特許請求の範囲】
【請求項１】
円筒状の管体と、該管体の軸線方向に沿って内装された基板と、該基板に実装された複数のＬＥＤ光源と、を備え、前記管体の内壁面には他の部位よりも肉厚を厚くした厚肉部を備えていることを特徴とするＬＥＤ照明装置。
【請求項２】
前記管体は透明な樹脂製チューブから形成され、前記厚肉部は前記管体と一体に形成されていることを特徴とする請求項１に記載のＬＥＤ照明装置。
【請求項３】
前記ＬＥＤ光源は前記管体の軸線から変位した位置に配置され、前記厚肉部は前記ＬＥＤ光源の側方付近に配置されていることを特徴とする請求項１又は請求項２に記載のＬＥＤ照明装置。
【請求項４】
前記厚肉部は前記ＬＥＤ光源から出射される照明光束の拡散角度よりも前記ＬＥＤ光源寄りに形成されていることを特徴とする請求項３に記載のＬＥＤ照明装置。
【請求項５】
前記厚肉部は、前記ＬＥＤ光源の側方付近の肉厚が厚くかつ前記管体の周方向に沿って徐々に薄肉化されていることを特徴とする請求項４に記載のＬＥＤ照明装置。
【請求項６】
前記厚肉部は、前記ＬＥＤ光源から出射される照明光束の拡散角度と前記管体とが交わる付近を境界としていることを特徴とする請求項４又は請求項５に記載のＬＥＤ光源。
【発明の詳細な説明】
【技術分野】
【０００１】
本発明は、光源に複数のＬＥＤ光源を用いたＬＥＤ照明装置に関する。
【背景技術】
【０００２】
近年、消費電力の抑制並びに耐久性の向上の観点から、直管形蛍光灯に代えて、光源にＬＥＤ光源を用いた照明装置が普及しつつある。
【０００３】
また、このようなＬＥＤ照明装置には、例えば、図２に示すように、無色透明又は有色（白色等）透明の管体１の内部に多数のＬＥＤ光源２（図では１つのみ図示）を実装した長尺な基板３と、基板３を保持すると共にＬＥＤ光源２の点灯に伴う発熱を吸熱するヒートシンク板４と、管体１の両端に位置して管体１の内部を閉塞するような状態で装着された口金５と、口金５から一部が突出して従来の直管形蛍光灯の取り付け用ソケット部（図示せず）に嵌合装着される端子６と、を備え、この端子６を介して基板３に電源供給することでＬＥＤ光源２が点灯する直管形のＬＥＤ照明装置が知られている（例えば、特許文献１参照）。
【先行技術文献】
【特許文献】
【０００４】
【特許文献１】特開２０１０−４４９２０号公報号公報
【発明の概要】
【発明が解決しようとする課題】
【０００５】
しかしながら、上述したＬＥＤ照明装置にあっては、ＬＥＤ光源２が基板３に対して所定間隔（一定間隔）を開けて配置されていることから、点灯時にはＬＥＤ光源２が存在している付近は明るく、その間は暗くなってしまうため、見掛け上でＬＥＤ光源２の存在が外部から管体１を透かして見えてしまい、見栄えを損なうという問題が生じていた。
【０００６】
また、このような見栄えは、従来の放電で発生する紫外線を利用した略均一な照明光束を出射する直管形蛍光灯に比べて、大きな変化であり、なるべく従来の蛍光灯に近い見栄えとすることが望まれている。さらに、このような見栄えは、特に、管体の直下付近では照明光束の有効利用を図る本来の目的が優先させるが、直下から離れた位置では見栄えの方が優先される傾向にある。
【０００７】
そこで、本発明は、ＬＥＤ光源を用いたものでありながら、点灯時の見栄えを向上することができるＬＥＤ照明装置を提供することを目的とする。
【課題を解決するための手段】
【０００８】
上記課題を解決するため、本発明のＬＥＤ照明装置は、円筒状の管体と、該管体の軸線方向に沿って内装された基板と、該基板に実装された複数のＬＥＤ光源と、を備え、前記管体の内壁面には他の部位よりも肉厚を厚くした厚肉部を備えていることを特徴とする。
【０００９】
本発明のＬＥＤ照明装置によれば、ＬＥＤ光源を用いたものでありながら、点灯時の見栄えを向上することができる。
【００１０】
また、本発明のＬＥＤ照明装置は、前記管体は透明な樹脂製チューブから形成され、前記厚肉部は前記管体と一体に形成されていることを特徴とする。
【００１１】
本発明のＬＥＤ照明装置によれば、厚肉部を安価で容易に形成することができるばかりでなく、成形時の肉厚の管理を容易に行ない得て、信頼性を向上することができる。
【００１２】
さらに、本発明のＬＥＤ照明装置は、前記ＬＥＤ光源は前記管体の軸線から変位した位置に配置され、前記厚肉部は前記ＬＥＤ光源の側方付近に配置されていることを特徴とする。
【００１３】
本発明のＬＥＤ照明装置によれば、管体のＬＥＤ光源に近い部位に厚肉部を形成することができ、管体のＬＥＤ光源から遠い部位との光量差を緩和することができ、見栄えを寄り一層均一化することができる。
【００１４】
また、本発明のＬＥＤ照明装置は、前記厚肉部は前記ＬＥＤ光源から出射される照明光束の拡散角度よりも前記ＬＥＤ光源寄りに形成されていることを特徴とする。
【００１５】
本発明のＬＥＤ照明装置によれば、ＬＥＤ光源から出射される照明光束の拡散角度よりも広い範囲での厚肉部により、管体の直下から離れた斜めからの視界に対して見栄えの向上を確保することができる。
【００１６】
また、本発明のＬＥＤ照明装置は、前記厚肉部は、前記ＬＥＤ光源の側方付近の肉厚が厚くかつ前記管体の周方向に沿って徐々に薄肉化されていることを特徴とする。
【００１７】
本発明のＬＥＤ照明装置によれば、照明光束を無駄に遮断してしまうことを抑制することができる。
【００１８】
しかも、本発明のＬＥＤ照明装置は、前記厚肉部は、前記ＬＥＤ光源から出射される照明光束の拡散角度と前記管体とが交わる付近を境界としていることを特徴とする。
【００１９】
本発明のＬＥＤ照明装置によれば、照明光束の無駄を抑制し得て、しかも、管体の直下から離れた斜めからの視界に対する見栄えを最大限に確保することができる。
【発明の効果】
【００２０】
本発明のＬＥＤ照明装置は、厚肉部を安価で容易に形成することができるばかりでなく、成形時の肉厚の管理を容易に行ない得て、信頼性を向上することができる。
【図面の簡単な説明】
【００２１】
【図１】本発明のＬＥＤ照明装置を示し、（Ａ）は直管型のＬＥＤ照明装置の中途部を省略した正面図、（Ｂ）は要部の拡大断面図である。
【図２】従来のＬＥＤ照明装置を示し、（Ａ）は直管型のＬＥＤ照明装置の中途部を省略した正面図、（Ｂ）は要部の拡大断面図である。
【発明を実施するための形態】
【００２２】
次に、本発明の一実施形態に係るＬＥＤ照明装置について、図面を参照して説明する。尚、以下に示す実施例は本発明のＬＥＤ照明装置における好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組合せを含む様々なバリエーションが可能である。したがって、以下に示す実施形態の記載をもって、特許請求の範囲に記載された発明の内容を限定するものではない。
【００２３】
図１は本発明のＬＥＤ照明装置を示し、図１（Ａ）は直管型のＬＥＤ照明装置の中途部を省略した正面図、図１（Ｂ）は要部の拡大断面図である。
【００２４】
図１において、本発明のＬＥＤ照明装置１０は、無色透明又は有色（白色等）透明な管体１１と、管体１１の内部に多数のＬＥＤ光源１２（図１（Ｂ）で１つのみ図示）を実装した長尺な基板１３と、基板１３を保持すると共にＬＥＤ光源１２の点灯に伴う発熱を吸熱するヒートシンク板１４と、管体１１の両端に位置して管体１１の内部を閉塞するような状態で装着された口金１５と、口金１５から一部が突出して従来の直管形蛍光灯の取り付け用ソケット部（図示せず）に嵌合装着される端子１６と、を備えている。
【００２５】
管体１１は、例えば、押し出し成形によって所定長さ毎に切断使用される。また、管体１１には、例えば、強度性や耐熱性に高く、透過性に優れると共に軽量でしかも加工性の良い樹脂（例えば、ポリカーボネート）が用いられている。さらに、管体１１には、図１（Ｂ）に示すように、管体１１の軸線よりも外側に変位した位置に配置されたＬＥＤ光源１２の側方付近の内壁面には、ＬＥＤ光源１２と対向する直下の肉厚に対して厚肉とされた厚肉部１１ａが一体に形成されている。なお、端子１６とＬＥＤ光源１２から出射される照明機能とで上下（天地）が規定されることから、ＬＥＤ光源１２は軸線よりも上方に位置することとなる。
【００２６】
厚肉部１１ａは、管体１１の断面内部側に隆起しており、ヒートシンク板１４の縁部付近から軸線の高さ付近までの範囲で形成されている。具体的には、厚肉部１１ａは、ＬＥＤ光源１２の発光点（図示せず）を含む水平面内付近を最大肉厚とし、下方に向かう程に薄肉化されて均一部分に終息している。より具体的には、厚肉部１１ａはＬＥＤ光源１２から出射される照明光束の拡散角度α（約１２０℃）よりも上方寄り（ＬＥＤ光源１２に寄った位置）に形成されており、ＬＥＤ光源１２の側方付近（水平面内付近）の肉厚が厚くかつ管体１１の周方向に沿って（下方に行くに随って）徐々に薄肉化され、ＬＥＤ光源１２から出射される照明光束の拡散角度と管体１１とが交わる付近を境界として終息している。
【００２７】
ＬＥＤ光源１２は、白色等の照明光束を出射するものが用いられ、管体１１の軸線方向に沿って配置された基板１３に一列（若しくは複数列）状態で所定間隔（又は一定間隔）を開けて基板１３に実装されている。
【００２８】
基板１３は、ヒートシンク板１４と共に両端が口金１５の内壁面に保持されており、その中途部は管体１１に形成されたレール状の保持部１１ｂによってヒートシンク板１４を介して保持されている。
【００２９】
上記の構成において、ＬＥＤ光源１２が点灯すると、その照明光束は所定角度αの拡散角度で照明光束を出射し、管体１１を透過して周囲を照らす。
【００３０】
この際、拡散角度αよりも広い角度、即ち、管体１１から離れた位置から管体１１を直視した場合であっても、厚肉部１１ａの存在により、管体１１を透かしてＬＥＤ光源１２そのものや照明光束の輝度（光量）の差に起因する明暗具合を明瞭に認識することができなくなっている。
【００３１】
これにより、ＬＥＤ光源１２のそのものや点在するＬＥＤ光源１２の光量の差に起因する不均一感といった見栄えを損なうことが抑制される。
【００３２】
このように、本発明のＬＥＤ照明装置にあっては、管体１１に厚肉部１１ａを形成したことから、点灯時の見栄えを向上することができる。
【００３３】
なお、このような見栄えの向上は、ＬＥＤ光源１２の直下においては、照明光束として利用する必要があることは勿論であるが、ＬＥＤ光源１２から直下の内壁面までの離間距離Ｌ１に対して、ＬＥＤ光源１２の側方付近の内壁面までの距離Ｌ２は近いことから、この距離の差によってもＬＥＤ光源１２の目視上の輝度にも差が出ており、距離が近い分だけ明るく見えることから、拡散角度を除いた範囲になるほど、厚肉にすることで均一化を図ることができる。
【符号の説明】
【００３４】
１０…ＬＥＤ照明装置
１１…管体
１１ａ…厚肉部
１２…ＬＥＤ光源
１３…基板
１４…ヒートシンク板
１５…口金
１６…端子
α…拡散角度
【図１】
2013077453.tif 000003
【図２】
2013077453.tif 000004